(57)【要約】【課題】長尺状体を支持する緩衝部材を個装箱から簡単に取り出すことを課題とする。【解決手段】カートリッジ１０の端面１０Ａに設けられたアンカー１４を緩衝部材２２に突き刺すことで、カートリッジ１０にアンカー１４が結合される。これにより、カートリッジ１０を個装箱２０から引き出すと、緩衝部材２２がカートリッジ１０と一体に個装箱２０から引き出される。つまり、個装箱２０からカートリッジ１０を引き出すだけで、緩衝部材２２も個装箱２０から引き出せるので、後から緩衝部材２２を取り出す作業が不要となる。【選択図】図２
2008110778.tif 000002
【特許請求の範囲】
【請求項１】
長尺状の被収納体の両端に緩衝部材を取り付け、筒状の長箱の内壁に前記被収納体が非接触で押し込まれる包装構造において、
前記被収納体と前記緩衝部材の間には、該被収納体と該緩衝部材を一体に長箱から引き出させる結合手段が設けられていることを特徴とする包装構造。
【請求項２】
前記結合手段は、前記被収納体の長手方向の端面から突出され、前記緩衝部材を突き刺し可能なアンカーであることを特徴とする請求項１に記載の包装構造。
【請求項３】
前記アンカーの基部には、突き刺し方向と交差する方向に張り出すかえし部が形成されていることを特徴とする請求項２に記載の包装構造。
【請求項４】
前記アンカーは、突き刺し方向と交差する方向に折り曲げ可能とされていることを特徴とする請求項２又は請求項３に記載の包装構造。
【請求項５】
前記結合手段は、前記被収納体の長手方向の端面から突出された突出片と、前記突出片の先端に設けられ突出方向と交差する方向に張り出した張出部と、前記緩衝部材に設けられ前記張出部が収納可能な収納部と、前記張出部が挿通可能で且つ該張出部を前記収納部に収納して前記被収納体又は前記緩衝部材を回転させたとき、前記張出部の抜け出しを阻止する挿通部と、で構成されていることを特徴とする請求項１に記載の包装構造。
【請求項６】
前記結合手段は、前記被収納体の長手方向の端面又は前記緩衝部材に設けられ、前記緩衝部材と前記被収納体を接合する粘着物であることを特徴とする請求項１に記載の包装構造。
【請求項７】
前記結合手段は、前記被収納体の長手方向の端面から突出された複数の突部と、前記緩衝部材に設けられた粘着物と、で構成され、前記突部の端面の総面積は前記粘着物の面積よりも小さくされていることを特徴とする請求項１に記載の包装構造。
【請求項８】
前記緩衝部材の前記粘着物が粘着される領域は、凹凸形状とされていることを特徴とする請求項７に記載の包装構造。
【請求項９】
前記結合手段は、前記緩衝部材に設けられ、前記被収納体の長手方向の端部の外形よりも小さいサイズの開口部であることを特徴とする請求項１に記載の包装構造。
【発明の詳細な説明】
【技術分野】
【０００１】
本発明は、長手方向の両端に緩衝部材が取り付けられた長尺状の被収納体を、筒状の長箱へ収納する包装構造に関する。
【背景技術】
【０００２】
ファックスやプリンターなどの電子写真装置に使用されるトナーは、長尺筒状（長尺状体）の容器に収容されており、容器内のトナーが消費されると、容器ごと交換されることが多い。
【０００３】
近年、電子写真装置の小型化に伴って、トナーが収容された容器も小型化が進められており、装置に装着する利便性を考慮して、容器が細長くなる傾向にある。
【０００４】
この容器は、個装箱に発泡スチロール等の緩衝部材と共に入れられて運搬される（特許文献１参照）。このとき、省資源化を目的として、緩衝部材は容器の長手方向両端に配置される。つまり、容器は長手方向両端を緩衝部材で支持された状態で、個装箱内に収容されて搬送される。
【０００５】
このような状態で個装箱に収容された容器は、個装箱から取り出す際に、個装箱の一方に設けられた蓋を開けて、長手方向に沿って個装箱から引き出されるようになっていることが多い。このとき、個装箱からは容器のみが引き出され、緩衝部材が個装箱の底の方に残ってしまうことがある。
【０００６】
容器が特に径の細いものの場合、個装箱の断面積も小さくなるため、手が個装箱内に入らず、個装箱の底面を開口しなければ個装箱内に残った緩衝部材を取り出すことができない。また、個装箱の断面積が、手が入るサイズであっても、個装箱の長さが腕よりも長い場合には、個装箱の底部に残った緩衝部材に手が届かないので、個装箱から緩衝部材を簡単に取り出すことができない。
【０００７】
また、感光体ドラムのような傷に弱い長尺筒状のものも、トナーが収容される容器と同じように、長尺状の個装箱に緩衝部材と共に収容されている。感光体ドラムを個装箱から取り出す際に、個装箱内に緩衝部材が残ってしまうと、感光体ドラムが個装箱の内壁にぶつかって、感光体ドラムの表面に傷がついてしまう。
【特許文献１】特開２００１−２４９４６６号公報
【発明の開示】
【発明が解決しようとする課題】
【０００８】
本発明は上記事実を考慮して、長尺状体を支持する緩衝部材を個装箱から簡単に取り出すことを課題とする。
【課題を解決するための手段】
【０００９】
請求項１に記載の本発明は、長尺状の被収納体の両端に緩衝部材を取り付け、筒状の長箱の内壁に前記被収納体が内壁と非接触で押し込まれる包装構造において、前記被収納体と前記緩衝部材の間には、該被収納体と該緩衝部材を一体に長箱から引き出させる結合手段が設けられていることを特徴としている。
【００１０】
請求項１の発明によれば、被収納体と緩衝部材の間に設けられた結合手段によって、被収納体を長箱から引き出すと、緩衝部材が被収納体と一体に長箱から引き出される。
【００１１】
つまり、長箱から被収納体を引き出すだけで、緩衝部材も長箱から引き出せるので、後から緩衝部材を取り出す作業が不要となる。また、長箱から被収納体を引き出す際に、被収納体の端部に取り付けられた緩衝部材が、被収納体と長箱の内壁の間に所定の隙間を形成するので、被収納体が長箱の内壁に接触するのが防止される。したがって、被収納体の表面に傷がつかない。
【００１２】
請求項２に記載の本発明は、前記結合手段は、前記被収納体の長手方向の端面から突出され、前記緩衝部材を突き刺し可能なアンカーであることを特徴としている。
【００１３】
請求項２の発明によれば、被収納体の長手方向の端面から突出したアンカーは、緩衝部材に突き刺されるようになっている。これにより、被収納体を緩衝部材に突き刺すだけで、被収納体の端面から突出されたアンカーが、緩衝部材と結合するので、緩衝部材に被収納体と結合させるための構造を設ける必要がない。
【００１４】
請求項３に記載の本発明は、前記アンカーの基部には、突き刺し方向と交差する方向に張り出すかえし部が形成されていることを特徴としている。
【００１５】
請求項３の発明によれば、アンカーの基部には、突き刺し方向と交差する方向にかえし部が張り出している。これにより、緩衝部材に突き刺されたアンカーは、かえし部が緩衝部材の中で引っ掛かるので、簡単にアンカーが緩衝部材から外れない。
【００１６】
請求項４に記載の本発明は、前記アンカーは、突き刺し方向と交差する方向に折り曲げ可能とされていることを特徴としている。
【００１７】
請求項４の発明によれば、アンカーの突き刺し方向と交差する方向に、アンカーが折り曲げ可能とされている。これにより、緩衝部材を被収納体から取り外したときに露出されるアンカーによって、周辺部材を傷つけてしまうことがない。
【００１８】
請求項５に記載の本発明は、前記結合手段は、前記被収納体の長手方向の端面から突出された突出片と、前記突出片の先端に設けられ突出方向と交差する方向に張り出した張出部と、前記緩衝部材に設けられ前記張出部が収納可能な収納部と、前記張出部が挿通可能で且つ該張出部を前記収納部に収納して前記被収納体又は前記緩衝部材を回転させたとき、前記張出部の抜け出しを阻止する挿通部と、で構成されていることを特徴としている。
【００１９】
請求項５の発明によれば、被収納体の長手方向の端面には、突出片が突出されており、この突出片の先端には、突出片の突出方向と交差する方向に張り出した張出部が設けられている。一方、緩衝部材には、張出部が収納可能な収納部と、張出部が挿通可能な挿通部が設けられており、張出部を挿通部に挿通させて収納部に収納し、被収納体又は緩衝部材を回転させると、挿通部を構成する周壁によって、張出部の抜け出しが阻止されるようになっている。
【００２０】
このような構成により、被収納体又は緩衝部材を回転させないと、被収納体から緩衝部材を外すことができないので、被収納体を長箱から引き出す際に、長箱の内壁の摩擦によって緩衝部材が被収納体から外れてしまうことがない。
【００２１】
請求項６に記載の本発明は、前記結合手段は、前記被収納体の長手方向の端面又は前記緩衝部材に設けられ、前記緩衝部材と前記被収納体を接合する粘着物であることを特徴としている。
【００２２】
請求項６の発明によれば、被収納体の長手方向の端面又は緩衝部材に設けられた粘着物によって、被収納体に緩衝部材が接合される。
【００２３】
このような構成によって、被収納体と緩衝部材を結合させることで、被収納体の長手方向の端面から突起状の部材が突出することがないので、被収納体を装置等に取り付ける際に結合手段が邪魔にならない。したがって、装置内に結合手段を回避する構造を設ける必要がない。
【００２４】
請求項７に記載の本発明は、前記結合手段は、前記被収納体の長手方向の端面から突出された複数の突部と、前記緩衝部材に設けられた粘着物と、で構成され、前記突部の端面の総面積は前記粘着物の面積よりも小さくされていることを特徴としている。
【００２５】
請求項７の発明によれば、被収納体の長手方向の端面から突出された突部の端面の総面積は、緩衝部材に設けられた粘着物の面積よりも小さくされている。これにより、被収納体から緩衝部材を取り外したとき、緩衝部材に設けられた粘着物が、被収納体側へ持って行かれることがない。
【００２６】
請求項８に記載の本発明は、前記緩衝部材の前記粘着物が粘着される領域は、凹凸形状とされていることを特徴としている。
【００２７】
請求項８の発明によれば、緩衝部材の粘着物が粘着される領域が凹凸形状とされていることで、粘着物の被収納体側の粘着面積よりも、緩衝部材側の粘着面積の方が大きくなる。これにより、粘着物の被収納体に対する粘着力よりも、緩衝部材に対する粘着力の方が大きくなるので、被収納体から緩衝部材を取り外したとき、粘着物が緩衝部材から剥がれてしまうことがない。
【００２８】
請求項９に記載の本発明は、前記結合手段は、前記緩衝部材に設けられ、前記被収納体の長手方向の端部の外形よりも小さいサイズの開口部であることを特徴としている。
【００２９】
請求項９の発明によれば、緩衝部材に設けられた開口部のサイズは、被収納体の長手方向の端部の外形よりも小さくされている。これにより、被収納体の長手方向の端部を、緩衝部材に設けられた開口部に挿通させると、緩衝部材によって被収納体の長手方向の端部が挟持され、緩衝部材は被収納体に結合される。
【発明の効果】
【００３０】
本発明は上記構成としたので、長尺状体を支持する緩衝部材を個装箱から簡単に取り出せる。
【発明を実施するための最良の形態】
【００３１】
次に、本発明の第１の実施形態に係る包装構造について説明する。
【００３２】
図１に示すように、例えば、ファックスやプリンターなどの電子写真装置に使用されるトナーが収容される長尺筒状のカートリッジ１０（被収納体）の長手方向の一方の端面１０Ａには、所定の間隔を設けて２つの突起部１２が突出されている。
【００３３】
この突起部１２の間には、ピン１６を介してアンカー１４の一端が取り付けられている。アンカー１４は、端面１０Ａとの間に隙間が設けられた状態で、突起部１２に取り付けられており、ピン１６を軸に回動可能とされている。
【００３４】
アンカー１４の他方の端部には、アンカー１４の幅方向に張り出すと共に、先端部が鋭利状とされた張出部１４Ａが連設されている。
【００３５】
また、カートリッジ０の端面１０Ａには、突起部１２の近傍に円柱状のストッパー１８が突設されている。このストッパー１８には、アンカー１４が起立した状態のときのアンカー１４の側面が接触するようになっている。これにより、アンカー１４は、図１（Ｂ）に示すように、アンカー１４の側面が端面１０Ａと平行とされた状態（傾倒させた状態）から、図１（Ａ）に示すように、アンカー１４の側面が端面１０Ａに対して略垂直となる状態（起立させた状態）の間で、ピン１６を軸として回動するようになっている。
【００３６】
ところで、図２に示すように、カートリッジ１０は、長尺状の箱体からなる個装箱２０内に収容されて搬送される。このとき、カートリッジ１０の長手方向両側には、緩衝部材２２、２４が配置される。緩衝部材２２、２４は、発泡スチロールで形成され、個装箱２０の内壁に接触するサイズの矩形状とされている。これにより、緩衝部材２２、２４によってカートリッジ１０は長手方向両端が保持され、個装箱２０の内壁との間に所定の隙間を設けた状態で、個装箱２０内に収容される。
【００３７】
カートリッジ１０の一方の端部を支持する緩衝部材２２には、アンカー１４に連設された張出部１４Ａの先端が突き刺さるようになっている。緩衝部材２２に突き刺さったアンカー１４は、張出部１４Ａが緩衝部材２２内に引っ掛かり、所定の力で緩衝部材２２をカートリッジ１０から外す方向に引っ張らないと、緩衝部材２２がカートリッジ１０から外れないようになっている。つまり、アンカー１４の張出部１４Ａを、緩衝部材２２に突き刺すことで、緩衝部材２２がカートリッジ１０の一方の端部に結合されるようになっており、この状態で個装箱２０に緩衝部材２２とカートリッジ１０が収納される。
【００３８】
一方、カートリッジ１０の他方の端部を支持する緩衝部材２４には、カートリッジ１０の外形が保持可能なサイズの開口部２５が形成されており、この開口部２５にカートリッジ１０の他方の端部が嵌合された状態で、カートリッジ１０は個装箱２０内に収容される。
【００３９】
このような構成により、個装箱２０内に収容されているカートリッジ１０を個装箱２０から取り出すとき、まず、図２（Ａ）に示すように、個装箱２０の蓋２０Ａを開け、露出された緩衝部材２４を個装箱２０から取り出す。これによって、図２（Ｂ）に示すように、カートリッジ１０の他方の端部が露出され、この露出されたカートリッジ１０の他方の端部を把持して、図２（Ｃ）に示すように、カートリッジ１０を個装箱２０から引っ張り出す。
【００４０】
このとき、図２（Ｄ）に示すように、カートリッジ１０の一方の端部に結合された緩衝部材２２も、カートリッジ１０と一緒に個装箱２０の長手方向に沿って移動して、個装箱２０から取り出される。これにより、個装箱２０からカートリッジ１０を取り出したとき、個装箱２０内に緩衝部材２２が残ってしまうことがない。
【００４１】
そして、図２（Ｅ）に示すように、個装箱２０から取り出したカートリッジ１０の一方の端部から緩衝部材２２を取り外す。なお、このカートリッジ１０を画像形成装置に取り付けるとき、起立状態にあるアンカー１４を、図１（Ｂ）に示すように傾倒させる。
【００４２】
これにより、カートリッジ１０の端面１０Ａからアンカー１４が突出されないため、画像形成装置に取り付けたとき、カートリッジ１０の端面１０Ａが装置内部に設けられた他の部品にぶつかることがなく、周辺の部品を傷つけてしまうことがない。
【００４３】
一方、使用済みのカートリッジ１０を個装箱２０に収容する際は、図３（Ａ）に示すように、起立させたアンカー１４に緩衝部材２２を突き刺す。
【００４４】
これにより、図３（Ｂ）に示すように、緩衝部材２２はカートリッジ１０に結合される。そして、カートリッジ１０の他方の端部又は中央部を把持して、図３（Ｃ）に示すように、緩衝部材２２が結合された側から個装箱２０内にカートリッジ１０を収容する。これにより、図３（Ｄ）に示すように、緩衝部材２２はカートリッジ１０と一体にされた状態で個装箱２０に収容される。そして、図３（Ｅ）に示すように、個装箱２０に収容されたカートリッジ１０の他方の端部に、緩衝部材２４に形成された開口部２５を嵌合させて、個装箱２０の蓋２０Ａを閉める。これにより、カートリッジ１０は、長手方向の両端を、緩衝部材２２、２４によって保持された状態で、個装箱２０に収容される。
【００４５】
なお、本実施形態では、カートリッジ１０の一方の端面１０Ａにのみアンカー１４を設けて緩衝部材２２を結合させ、他方の端部には緩衝部材２４を結合させない構成で説明したが、カートリッジ１０の他方の端面にもアンカーを設け、カートリッジ１０の両端部に、緩衝部材２２、２４を結合させて個装箱２０に収容してもよい。このような構成にすることで、個装箱２０の蓋２０Ａを開け、カートリッジ１０の他方の端部に結合されている緩衝部材２４を個装箱２０から取り出すと、緩衝部材２４と一緒にカートリッジ１０も個装箱２０から取り出され、さらに、このカートリッジ１０と一緒に、カートリッジ１０の一方の端部に結合されている緩衝部材２２も個装箱２０から取り出される。
【００４６】
また、本実施形態では、被収納体としてトナーが収容されるカートリッジ１０を例に採って説明したが、カートリッジ１０以外の長尺筒状のものにも、本発明は適用可能である。
【００４７】
例えば、感光体ドラムに本発明を適用した場合、感光体ドラムが収容される個装箱から感光体ドラムを取り出す際に、緩衝部材によって感光体ドラムと個装箱の内壁の間に所定の隙間を保った状態で、感光体ドラムが個装箱から取り出されるので、感光体ドラムの端部が個装箱の側壁にぶつかるのを防止できる、したがって、感光体ドラムの表面に傷がつかない。
【００４８】
次に、本発明の第２の実施形態に係る包装構造について説明する。なお、第１の実施形態と同様の部分についての説明は割愛する。
【００４９】
図４及び図５（Ａ）に示すように、に示すように、カートリッジ１０の長手方向の一方の端面１０Ａには、係合部材２６が設けられている。係合部材２６は、カートリッジ１０の軸線Ｍ上に沿って設けられた凸片２６Ａと、この凸片２６Ａの上端に端面１０Ａと略平行に連設された係合片２６Ｂとで構成され、略Ｔ字状とされている。
【００５０】
一方、カートリッジ１０の長手方向の一方の端部に設けられる緩衝部材２８は、係合部材２６が収容可能な大きさの空間２７を有すると共に、係合部材２６が挿通可能な開口部３０が形成された底面２８Ａを有する有底円筒状とされている。
【００５１】
そして、図５（Ｂ）に示すように、カートリッジ１０に設けられた係合部材２６の係合片２６Ｂを、緩衝部材２８の底面２８Ａに形成された開口部３０に挿通させ、緩衝部材２８又はカートリッジ１０を略９０度回転させると、係合片２６Ｂが開口部３０を形成する周壁に係止される。これにより、係合部材２６が開口部３０から取り外せなくなり、緩衝部材２８がカートリッジ１０に結合される。
【００５２】
このような構成により、緩衝部材２８又はカートリッジ１０を回転させないと、カートリッジ１０から緩衝部材２８を取り外すことができないので、図５（Ｃ）に示すように、カートリッジ１０を個装箱２０から引き出す際に、個装箱２０の内壁との摩擦によって緩衝部材２８がカートリッジ１０から外れてしまうことがない。
【００５３】
次に、本発明の第３の実施形態に係る包装構造について説明する。なお、第１の実施形態と同様の部分についての説明は割愛する。
【００５４】
図６に示すように、カートリッジ１０の長手方向の一方の端部に設けられる緩衝部材３２の端面３２Ａには、両面テープ３４が貼着されている。このとき、端面３２Ａの両面テープ３４が貼着される領域には、複数の凹凸が形成されており、両面テープ３４の衝撃部材３２の端面３２Ａ側の面積が、反対側の面積（カートリッジ１０の端面１０Ａとの貼着面積）よりも大きくされている。また、両面テープ３４の周囲はテープ３６で覆われており、これによって、両面テープ３４の衝撃部材３２の端面３２Ａ側の面積が、カートリッジ１０が貼着される側よりもさらに大きくされている。つまり、両面テープ３４の粘着力は、緩衝部材３２の衝撃部材３２の端面３２Ａ側の方が、カートリッジ１０が貼着される側よりも大きくされている。
【００５５】
一方、カートリッジ１０の長手方向の一方の端面１０Ａには、複数の凸部３８が形成されている。この凸部３８のトータル面積は、緩衝部材３２に貼着された両面テープ３４の面積よりも小さくされており、カートリッジ１０から緩衝部材３２を取り外すとき、凸部３８側に両面テープ３４が取られないようになっている。
【００５６】
このような構成により、緩衝部材３２は両面テープ３４によって、カートリッジ１０の一方の端面１０Ａに粘着されて結合されるため、個装箱２０（図２参照）からカートリッジ１０を取り出す際に、カートリッジ１０と一緒に緩衝部材３２も個装箱２０から取り出される。
【００５７】
また、カートリッジ１０から緩衝部材３２を取り外したとき、緩衝部材３２側に貼着された両面テープ３４が、緩衝部材３２から剥がれることがないので、カートリッジ１０を個装箱２０に収容する際に、他のカートリッジ１０に結合されていた緩衝部材３２を結合させることができる。つまり、カートリッジ１０と緩衝部材３２の対応関係を厳密に管理する必要がない。
【００５８】
このように、両面テープ３４を用いて緩衝部材３２をカートリッジ１０に結合させることで、カートリッジ１０の端面１０Ａから突起状の部材が突出することがないので、突起状の部材を回避する形状を画像形成装置に設けることがない。つまり、従来の画像形成装置でも、本実施形態のカートリッジ１０を取り付けることができる。
【００５９】
次に、本発明の第４の実施形態に係る緩衝部材４０について説明する。なお、第１の実施形態と同様の部分についての説明は割愛する。
【００６０】
図７（Ａ）に示すように、カートリッジ１０の長手方向の一方の端部に設けられる緩衝部材４０は内部が空洞とされ、個装箱２０（図２参照）に収容されるとき、カートリッジ１０の長手方向の一方の端面１０Ａと対向する面には、カートリッジ１０が挿通可能な円形状の開口部４２が形成されている。
【００６１】
図７（Ｂ）に示すように、開口部４２の半径は、カートリッジ１０の半径よりも若干小さくされており、カートリッジ１０の端部を開口部４２に挿通したとき、図７（Ｃ）に示すように、緩衝部材４０の側壁が外側に撓み、カートリッジ１０の端部は開口部４２に所定の圧力で挟持されるようになっている。
【００６２】
このような構成により、緩衝部材４０の開口部４２にカートリッジ１０を挿通させると、緩衝部材４０はカートリッジ１０の端部に結合され、個装箱２０（図２参照）からカートリッジ１０を取り出す際に、カートリッジ１０と一緒に緩衝部材４０も個装箱２０から取り出される。
【００６３】
このように、緩衝部材４０をカートリッジ１０に結合させる手段を、緩衝部材４０側に設けることで、従来のカートリッジを個装箱２０に収容する場合にも、本発明を適用することができる。
【図面の簡単な説明】
【００６４】
【図１】本発明の第１の実施形態に係る包装構造を示す斜視図である。
【図２】本発明の第１の実施形態に係る包装構造を示す側面図である。
【図３】本発明の第１の実施形態に係る包装構造を示す側面図である。
【図４】本発明の第２の実施形態に係る包装構造を示す斜視図である。
【図５】本発明の第２の実施形態に係る包装構造を示す図であり、（Ａ）は被収納体と緩衝部材を切り離した状態を示す側面図であり、（Ｂ）は緩衝部材を被収納体に結合させた状態を示す側面図であり、（Ｃ）は被収納体を個装箱から取り出す状態を示す側面図である。
【図６】本発明の第３の実施形態に係る包装構造を示す斜視図及び側面図である。
【図７】本発明の第４の実施形態に係る包装構造を示す図であり、（Ａ）は斜視図であり、（Ｂ）は被収納体と緩衝部材を切り離した状態を示す側面図であり、（Ｃ）は緩衝部材を被収納体に結合させた状態を示す側面図である。
【符号の説明】
【００６５】
１０  カートリッジ（被収納体）
１２  突起部
１４  アンカー（結合手段）
１４Ａ  張出部（かえし部）
２０  個装箱（長箱）
２２  緩衝部材
２６  係合部材（結合手段）
２６Ｂ  係合片（結合手段、張出部）
２６Ａ  凸片（結合手段、突出片）
２８  緩衝部材
３０  開口部（結合手段、挿通部）
３２  緩衝部材
３４  両面テープ（結合手段、粘着物）
３８  凸部
４０  緩衝部材
４２  開口部
【図１】
2008110778.tif 000003
【図２】
2008110778.tif 000004
【図３】
2008110778.tif 000005
【図４】
2008110778.tif 000006
【図５】
2008110778.tif 000007
【図６】
2008110778.tif 000008
【図７】
2008110778.tif 000009